(57)【要約】本発明は、後退自在の自動傾斜式ニードルを有する安全注射器に関する。特に、複数の縦方向突出リブが、シリンジシリンダのフロント部に形成されるスリーブ部の内壁に設けられ、また、相応し、複数の縦方向突出リブが、ニードル保持部の外壁に設けられている。さらに、少なくとも１つのラチェット歯用凹部が、プランジャロッドの隣接するプランジャ端部に形成されており、ラチェット歯用凹部は、プランジャロッドが外側に引っ張られる場合、シリンジシリンダの後端の内壁に環状に形成されるラチェット歯と係合可能であり、したがって、プランジャロッドがシリンジシリンダから引っ張り出されることが防止される。加えて、プランジャロッドの十字状プレートをガイドするための少なくとも１対の突出部が、シリンジシリンダの内壁に形成されている。したがって、プランジャロッドは、注射の際、ランダムに回転することができない。
2004537390.tif 000002
【特許請求の範囲】
【請求項１】
シリンジシリンダと前記シリンジシリンダのフロント部に形成されるスリーブ部とを有するシリンジ手段、
前記シリンジシリンダに着脱自在に固定され、かつ、中空ニードルと、前記中空ニードルが外側から連結されるシャンク部と、前記シャンク部の後部に形成されるロックヘッド部とを有するニードル装置、および、
前記シリンジシリンダに摺動自在に保持され、かつ、プランジャロッドに固定されるプランジャと前記プランジャに凹部として形成される斜めソケットとを有するプランジャ手段を有し、
注射の完了時において、前記ニードル装置の前記ロックヘッド部が、前記斜めソケットにおいて係合され、一方、前記ニードル装置に連結される前記プランジャは、前記シリンジシリンダに操作的に後退することで、前記スリーブ部から前記中空ニードルを前方に再突出させることなく、前記ニードルを傾斜させる
安全注射器であって、
前記スリーブ部は、前記スリーブ部を貫通して形成されるスリーブ穴の内壁に縦方向に形成される複数のスリーブリブを有し、
前記シャンク部は、前記シャンク部の外面に縦方向に形成され、前記スリーブ部の前記スリーブリブをそれぞれ係合するための複数のシャンクリブを有し、
前記シャンク部を前記スリーブ部に固定し、前記シャンク部を回転させる場合、前記シャンク部の前記シャンクリブは、前記スリーブ部の前記スリーブリブによって係合およびロックされ、前記シャンク部の回転を妨げるため、前記中空ニードルを前記シリンジシリンダの前記シャンク部にスムーズに連結することができる
ことを特徴とする安全注射器。
【請求項２】
前記シャンク部は、前記スリーブ部の前記スリーブ穴の内壁に係合される前記シャンク部に環状に形成されるパッキンリングをさらに有し、前記パッキンリングは、前記スリーブ部の前記スリーブリブによって、前方への移動が制限されることを特徴とする請求項１に記載の安全注射器。
【請求項３】
前記シャンク部は、浅いディスク部をさらに有し、前記浅いディスク部は、前記シャンク部の後部に形成され、前記スリーブ部の前記スリーブ穴の後部に形成される浅い凹部と係合することを特徴とする請求項１に記載の安全注射器。
【請求項４】
前記プランジャ手段は、環状ディスクの後部に形成される少なくとも１つのラチェット歯を有し、前記環状ディスクは、前記プランジャに隣接する前記プランジャロッドのフロント端部に形成され、前記シリンジシリンダは、前記シリンジシリンダの後部に環状に形成される環状拡張部を有しており、前記プランジャロッドを後方に引っ張る場合、前記ラチェット歯は、前記シリンジシリンダの前記環状拡張部によって係合およびロックされ、前記シリンジシリンダから、前記シリンジシリンダに一旦挿入された前記プランジャ手段が後方に解放されることが防がれることを特徴とする請求項１に記載の安全注射器。
【請求項５】
前記ラチェット歯は、前記環状ディスクの後部に環状に形成される環形ラチェット歯として形成され、前記プランジャロッドのフロント端部に位置していることを特徴とする請求項４に記載の安全注射器。
【請求項６】
シリンジシリンダと前記シリンジシリンダのフロント部に偏心して形成されるスリーブ部とを有するシリンジ手段、
前記シリンジシリンダの前記スリーブ部に着脱自在に固定され、かつ、中空ニードルと、前記中空ニードルが外側から連結されるシャンク部と、前記シャンク部の後部に形成されるロックヘッド部とを有するニードル装置、および、
前記シリンジシリンダに摺動自在に保持され、かつ、プランジャロッドに固定されるプランジャと前記プランジャに凹部として偏心して形成される斜めソケットとを有するプランジャ手段を有し、
注射の完了時において、前記ニードル装置の前記ロックヘッド部が、前記斜めソケットにおいて係合され、一方、前記ニードル装置に連結される前記プランジャは、前記シリンジシリンダに操作的に後退することで、前記スリーブ部から前記中空ニードルを前方に再突出させることなく、前記ニードルを傾斜させる
静脈内注射用安全注射器であって、
前記スリーブ部は、前記スリーブ部を貫通して形成されるスリーブ穴の内壁に縦方向に形成される複数のスリーブリブを有し、
前記シャンク部は、前記シャンク部の外面に縦方向に形成され、前記スリーブ部の前記スリーブリブをそれぞれ係合するための複数のシャンクリブを有し、
前記シャンク部を前記スリーブ部に固定し、前記シャンク部を回転させる場合、前記シャンク部の前記シャンクリブは、前記スリーブ部の前記スリーブリブによって係合およびロックされ、前記シャンク部のさらなる回転を妨げるため、前記中空ニードルを前記シリンジシリンダの前記シャンク部にスムーズに連結することができ、また、
前記シリンジシリンダは、前記シリンジシリンダの内壁の円周上に形成されるガイド手段を有し、前記プランジャロッドを前記シリンジシリンダにおいて縦方向に摺動自在にガイドし、前記斜めソケットを前記プランジャに相応して位置合せし、一方、前記ニードル装置の前記ロックヘッド部は、注射の完了時において、前記プランジャと前記ニードル装置を確実に連結する
ことを特徴とする静脈内注射用安全注射器。
【請求項７】
前記ガイド手段は、少なくとも一対の突起部を有し、前記突起部は、前記シリンダに形成され、前記プランジャロッドに長さ方向かつ縦方向に形成されるブレード部材を、摺動自在にガイドおよび係合することを特徴とする請求項６に記載の静脈内注射用安全注射器。
【請求項８】
前記シャンク部は、前記スリーブ部の前記スリーブ穴の内壁に係合される、前記シャンク部に環状に形成されるパッキンリングをさらに有し、前記パッキンリングは、前記スリーブ部の前記スリーブリブによって、前方への移動が制限されることを特徴とする請求項６に記載の静脈内注射用安全注射器。
【請求項９】
前記シャンク部は、浅いディスク部をさらに有し、前記浅いディスク部は、前記シャンク部の後部に形成され、前記スリーブ部の前記スリーブ穴の後部に形成される浅い凹部と係合することを特徴とする請求項６に記載の静脈内注射用安全注射器。
【請求項１０】
前記プランジャ手段は、環状ディスクの後部に形成される少なくとも１つのラチェット歯を有し、前記環状ディスクは、前記プランジャに隣接する前記プランジャロッドのフロント端部に形成され、前記シリンジシリンダは、前記シリンジシリンダの後部に環状に形成される環状拡張部を有しており、前記プランジャロッドを後方に引っ張る場合、前記ラチェット歯は、前記シリンジシリンダの前記環状拡張部によって係合およびロックされ、前記シリンジシリンダから前記プランジャ手段が後方に解放されることが防がれることを特徴とする請求項６に記載の静脈内注射用安全注射器。
【請求項１１】
前記ラチェット歯は、前記環状ディスクの後部に環状に形成される環形ラチェット歯として形成され、前記プランジャロッドのフロント端部に位置していることを特徴とする請求項１０に記載の静脈内注射用安全注射器。
【発明の詳細な説明】
【技術分野】
【０００１】
本発明は、安全注射器の改良に関する。
【背景技術】
【０００２】
本発明は、本願の発明者によって発明された米国特許第５５３３９７５号（以後、先行技術で参照）の改良である。
【０００３】
前記先行技術は、安全注射器を開示しており、当該安全注射器は、使用済みニードルを自動的に傾けることで、ニードルが注射器に後退する際に、ニードルが外側に再突出することを防いでいる。円筒状凹部１２５は、シリンジ手段１のフロント部に形成され、円筒状凹部１２５に形成される２つのくさび状拡張部１２６を有しており、ニードルアセンブリのシャンク部２２の円筒状部２２４に直径的に形成される２つのバー２２５を妨害する。したがって、回転式にニードル装置２とシャンク部２２とを連結する場合、シャンク部２２の回転を防止する。しかし、このような円筒状凹部１２５は、液状薬剤を蓄積することで、「無駄貯留」を形成する。無駄貯留は、患者に全てを注射することができず、薬剤の浪費を引き起こす。
【０００４】
本発明に係る発明者は、前記先行技術の問題を見つけ、本発明に係る改良された安全注射器を発明した。
【発明の開示】
【０００５】
本発明の目的は、安全注射器を提供することであり、前記安全注射器は、シリンジシリンダと、前記シリンジシリンダのスリーブ部に形成される複数のスリーブリブと、シャンク部に着脱自在に連結されるニードルを有するニードル装置と、前記シャンク部に設けられ、前記スリーブ部のスリーブリブと係合する複数のシャンクリブとを有し、かつ、前記ニードル装置は、前記シリンジシリンダに対して後退自在かつ自動的に傾斜し、使用済みニードルが外側に突出することを防止し、前記ニードルが前記シャンク部に外部的連結および回転的連結する場合、前記シャンク部は、回転することなくロックされるため、前記ニードルと前記ニードル装置の前記シャンク部とのスムーズな連結を向上させる。
【０００６】
本発明の別の目的は、安全注射器を提供することであり、前記安全注射器は、前記シリンジシリンダの後部に隣接し、前記シリンジシリンダの内壁に環状に形成される環状拡張部と、前記シリンジシリンダに摺動自在に保持されるプランジャのフロント部に形成される少なくとも１つのラチェット歯とを有し、前記プランジャが後方かつ外側に偶発的に引っ張られる場合、前記プランジャの前記ラチェット歯は、前記環状拡張部に対してロックされるため、前記環状拡張部は、前記シリンダから前記プランジャが後方に解放されることを防止するためのストッパーを提供する。
【０００７】
本発明のさらに別の目的は、静脈内注射用安全注射器を提供することであり、前記静脈内注射用安全注射器は、回転することなく、前記シリンジシリンダに摺動自在に保持されるプランジャを有する。
【発明を実施するための最良の形態】
【０００８】
図１は、本発明のシリンジシリンダから分離されるニードル装置のシャンク部を示している断面図、図２は、図１から組み立てた場合における本発明の断面図、図３は、本発明に係り、注射の終了時におけるニードル装置とプランジャとの係合を示している断面図、図４は、本発明に係るシリンジシリンダにおいて、後退および傾斜させられたニードルを示し、図５は、プランジャがシリンジシリンダから外側へ開放されることの防止を示している説明図、図６は、表面に形成されるラチェット歯を有するプランジャ手段の別の実施の形態を示し、図７は、注射の終了時においてプランジャと係合するニードル装置を有する、静脈内注射のための、本発明に係る別の好ましい実施の形態を示し、図８は、図７に続く、後退および傾斜させられたニードルを示し、当該ニードルはシリンジシリンダの内部で屈曲されており、図９は、図７のＢ−Ｂ方向から見た断面図、図１０は、表面に形成されるラチェット歯を有するプランジャ手段を示している。
【０００９】
図１〜５に示されるように、本発明に係る安全注射器は、シリンジ手段１、シリンジ手段１に着脱自在に固定されるニードル装置２およびシリンジ手段１に摺動自在に保持されるプランジャ手段３を有する。
【００１０】
シリンジ手段１は、シリンジシリンダ１１、スリーブ部１２、ショルダー部１３、シリンジハンドル１４および環状拡張部１５を有する。シリンジシリンダ１１は、液状薬剤を充填するための内部１０を有する。スリーブ部１２は、シリンジシリンダ１１のフロント部に形成され、スリーブ部１２を貫通して形成されるスリーブ穴１２ａを有する。ショルダー部１３は、スリーブ部１２とシリンジシリンダ１１との間に形成される。シリンジハンドル１４は、シリンジシリンダ１１の後端に形成される。環状拡張部１５は、シリンジハンドル１４に隣接し、シリンジシリンダ１１の内壁に環状に形成される。
【００１１】
スリーブ部１２は、複数のスリーブリブ１２ｂと、浅い凹部１２ｃとを有する。スリーブリブ１２ｂは、スリーブ穴１２ａの内壁に縦方向に形成される。浅い凹部１２ｃは、スリーブ部１２の後部に形成される。浅い凹部１２ｃの直径は、スリーブ穴１２ａの直径より若干大きい（図４）。
【００１２】
ニードル装置２は、中空ニードル２１、シャンク部２２およびロックヘッド部２３を有する。中空ニードル２１は、中空ニードル２１を貫通して形成されるニードル穴２０を有し、また、カップリングシース２１ａを有する。カップリングシース２１ａは、中空ニードル２１の後部に固定され、内部に雌ねじ２１ｂが形成される。シャンク部２２は、スリーブ部１２のスリーブ穴１２ａに、着脱自在に固定され、中空ニードル２１のカップリングシース２１ａに連結される。ロックヘッド部２３は、シャンク部２２の後端に形成され、排出スロット２４を有する。排出スロット２４は、ロックヘッド部２３およびシャンク部２２に形成され、中空ニードル２１のニードル穴２０と液体的に連通しており、液状薬剤が関連する排出スロット２４およびニードル穴２０を通過し、患者の身体に注射される。
【００１３】
シャンク部２２は、浅いディスク部２２ａ、複数のシャンクリブ２２ｂ、パッキンリング２２ｃおよび幹部２２ｄを有する。浅いディスク部２２ａは、シャンク部２２の後端に形成され、スリーブ部１２のシャンク部２２を固定する際に、浅い凹部１２ｃと係合する。シャンクリブ２２ｂは、シャンク部の周囲に縦方向に形成され、スリーブ部１２のスリーブリブ１２ｂと係合する。パッキンリング２２ｃは、シャンク部２２に関し配置され、スリーブ穴１２ａの内壁と係合しており、シャンク部２２をスリーブ部１２に取り付ける際に、スリーブリブ１２ｂのリブ端によって前方への移動が抑制され、中空ニードル２１の注射の際における漏れを防ぐ。幹部２２ｄは、シャンク部２２のフロント部に形成され、一対の突出部２２ｅを有する。突出部２２ｅは、幹部２２ｄに環状に形成され、中空ニードル２１のカップリングシース２１ａに形成される雌ねじ２１ｂと係合し、中空ニードル２１のカップリングシース２１ａを、シリンジシリンダ１１のスリーブ部１２に前もって固定されるシャンク部２２に、外側から連結する。
【００１４】
プランジャ手段３は、プランジャ３１、斜めソケット３２および少なくとも一つのラチェット歯３５ｂを有する。プランジャ３１は、シリンジシリンダ１１に摺動自在に保持されるプランジャロッド３５のフロント端部３４に固定される。斜めソケット３２は、プランジャ３１に凹部として形成され、注射終了後において、プランジャ３１に形成されるガイドポート３３を介し、ニードル装置２のロックヘッド部２３を係合する。ラチェット歯３５ｂは、環状ディスク３５ａの後部に形成される。環状ディスク３５ａは、プランジャロッド３５のフロント部に形成され、弓状フロントエッジ部を有する。一方、プランジャロッド３５を後方かつ外側に向かって引っ張る場合（図５）、ラチェット歯３５ｂは、シリンジシリンダ１１に形成される環状拡張部１５に対して操作的に妨害し、注射終了後において、シリンジシリンダ１１からプランジャ手段３が後方に解放されることを阻止する。
【００１５】
本発明に係る中空ニードル２１を組み付ける場合、中空ニードル２１のカップリングシース２１ａは、回転させられ、幹部２２ｄの環状突出部２２ｅによって、雌ねじ２１ｂと係合する。そして、シャンクリブ２２ｂは、スリーブ部１２のスリーブリブ１２ｂによって、係合され、シャンク部２２の回転を妨げる。これによって、シリンジ手段１のスリーブ部１２に既に固定されているシャンク部２２に、中空ニードル２１のカップリングシース２１ａが強固に固定されるまで、シャンク部２２を中心とするカップリングシース２１ａの平滑な回転を、可能にする。
【００１６】
前記先行技術に係る注射器のフロント部に設けられている円筒状凹部１２５および拡張部１２６は、目下除去されているため、シリンジシリンダのフロント部に形成される無駄貯留は存在しないことを意味する。したがって、液状薬剤を浪費することなく、注射完了後において、シリンダ内部の液状薬剤の全てを使い切ることでき、前記先行技術より優れている。
【００１７】
注射完了後、プランジャの斜めソケット３２と係合している、ニードル装置２のロックヘッド部２３は、シリンジシリンダ１１に同時に後退し、そして、縦軸Ｘから自動的に（図３から図４へ）傾斜し、注射器を安全に保護する。
【００１８】
プランジャ手段３の環状ディスク３５ａの後部に凹部として形成され、あるいは設けられているラチェット歯３５ｂは、図６に示されるように、プランジャロッド３５のフロント部に、円周的に形成される複数のラチェット歯３５ｂ（歯の数および形状は限定されない）とすることが可能であり、あるいは、図５に示されるように、プランジャロッド３５のフロント部に環状に形成される単一の環状ラチェット歯３５ｂとして形成することも可能である。
【００１９】
プランジャ手段３をシリンジシリンダ１１に組み付ける場合、プランジャロッド３５のフロント端部の環状ディスク３５ａの弓状フロントエッジ部は、環状拡張部１５を通過することによって、シリンジシリンダ１１の内部１０に、スムーズに挿入される。けれども、図５に示されるように、プランジャロッド３５を後方に引っ張る場合、ラチェット歯３５ｂは、環状拡張部１５において阻止あるロックされ、特に、傾斜させられた中空ニードル２１に連結される場合（図４及び図５）、プランジャ手段３がシリンジシリンダ１１から外側に向かって後方に解放されることが防がれる。
【００２０】
したがって、本発明は、シリンジシリンダに後退した使用済みニードルが前方に突出することを防止し（図４）、また、使用済み中空ニードル２１と連結したプランジャ３１がシリンジシリンダ１１から後方に解放されることを防止することが可能な安全注射器を、実際に提供する。使用済み中空ニードル２１は、シリンジシリンダ１１に良好に「捕捉」され、注射器を安全に保護することを確実に確保し、使用済みニードルが、看護婦、医師、病院清掃作業者、または清掃係などに突き刺さり、外傷を与えることを防止する。
【００２１】
本発明は、皮下注射のために使用可能であり、また、図７〜図１０を参照して後述されるように、静脈内注射のために使用するために修正することも可能である。
【００２２】
図７〜図１０に示されるように、本発明に係る静脈内注射用の安全注射器は、シリンジ手段１、ニードル装置２およびプランジャ手段３を有する。ニードル装置２は、シリンジ手段１に着脱自在かつ偏心して固定される。プランジャ手段３は、プランジャ３１と、シリンジ手段１に摺動自在に保持されるプランジャロッド３５とを有する。
【００２３】
シリンジ手段１は、シリンジシリンダ１１、スリーブ部１２、ショルダー部１３、シリンジハンドル１４および環状拡張部１５を有する。シリンジシリンダ１１は、液状薬剤を充填するための内部１０を有する。スリーブ部１２は、シリンジシリンダ１１のフロント部に偏心して形成され、スリーブ部１２を貫通して形成されるスリーブ穴１２ａを有する。ショルダー部１３は、スリーブ部１２とシリンジシリンダ１１との間に形成される。シリンジハンドル１４は、シリンジシリンダ１１との後端に形成される。環状拡張部１５は、シリンジハンドル１４に隣接し、シリンジシリンダ１１の内壁に環状に形成される。
【００２４】
４対（あるいは複数対）のビーズあるいは小さな突起１６が設けられている。突起１６は、環状拡張部１５に隣接し、シリンジシリンダ１１の内壁に、それぞれ、円周上に形成される。また、突起１６の各一対は、図９に示されるように、プランジャロッド３５のブレード部材３５１と摺動自在に係合する。
【００２５】
このような対のビーズあるいは突起１６は、本応用においては、「ガイド手段」として定義され、プランジャロッド３５をシリンジシリンダ１１において縦方向に摺動自在にガイドする。各ビーズあるいは突起１６は、シリンジシリンダ１１に対するプランジャの簡単な組み付けのためには、小さいサイズを有することが必要である。
【００２６】
スリーブ部１２は、スリーブリブ１２ｂおよび浅い凹部１２ｃを有する。スリーブリブ１２ｂは、複数であり、スリーブ穴１２ａの内壁に縦方向に形成される。浅い凹部１２ｃは、スリーブ部１２の後部に形成される。浅い凹部１２ｃの直径は、スリーブ穴１２ａ（図８）の直径より、若干大きい。
【００２７】
ニードル装置２は、中空ニードル２１、シャンク部２２およびロックヘッド部２３を有する。中空ニードル２１は、中空ニードル２１を貫通して形成されるニードル穴２０を有し、また、中空ニードル２１の後部に固定されるカップリングシース２１ａを有する。カップリングシース２１ａには、雌ねじ２１ｂが形成されている。シャンク部２２は、スリーブ部１２のスリーブ穴１２ａに着脱自在に固定され、中空ニードル２１のカップリングシース２１ａと連結する。ロックヘッド部２３は、シャンク部２２の後端に形成され、ロックヘッド部２３およびシャンク部２２に形成される排出スロット２４を有し、中空ニードル２１のニードル穴２０と流動的に連通しており、関連する排出スロット２４およびニードル穴２０を経由して、液状薬剤が通過し、患者の身体に注射される。
【００２８】
シャンク部２２は、浅いディスク部２２ａ、複数のシャンクリブ２２ｂ、パッキンリング２２ｃおよび幹部２２ｄを有する。浅いディスク部２２ａは、シャンク部２２の後端に形成され、シャンク部２２をスリーブ部１２に固定する場合、浅い凹部１２ｃと係合する。シャンクリブ２２ｂは、シャンク部の周囲に縦方向に形成され、スリーブ部１２のスリーブリブ１２ｂと係合する。パッキンリング２２ｃは、シャンク部２２の周囲に配置され、スリーブ穴１２ａの内壁に係合し、シャンク部２２をスリーブ部１２に取り付ける場合、スリーブリブ１２ｂのリブ端によって、前方への移動が阻止され、中空ニードル２１の注射の際の漏れが防がれる。幹部２２ｄは、シャンク部２２のフロント部に形成され、幹部２２ｄの円周上に形成される一対の突出部２２ｅを有し、中空ニードル２１のカップリングシース２１ａに形成される雌ねじ２１ｂと係合することで、中空ニードル２１のカップリングシース２１ａを、シリンジシリンダ１１のスリーブ部１２に前もって固定されているシャンク部２２に、外側から連結する。
【００２９】
中空ニードル２１は、シリンジシリンダ１１（図７）の縦軸Ｘに平行である縦中心のニードル軸２００を定義する。
【００３０】
プランジャ手段３は、プランジャ３１、斜めソケット３２および少なくとも１つのラチェット歯３５ｂを有する。プランジャ３１は、シリンジシリンダ１１に摺動自在に保持されるプランジャロッド３５のフロント端部３４に固定される。斜めソケット３２は、プランジャ３１に偏心して凹部として形成され、注射終了後、プランジャ３１に形成されるガイドポート３３を介し、ニードル装置２のロックヘッド部２３と相応して係合する。ラチェット歯３５ｂは、環状ディスク３５ａの後部に形成される。環状ディスク３５ａは、弓状フロントエッジ部を有し、プランジャロッド３５のフロント部に形成される。一方、ラチェット歯３５ｂは、プランジャロッド３５（図８）を後方かつ外側に引っ張る場合、シリンジシリンダ１１に形成される環状拡張部１５によって、操作的に阻止されるため、注射終了後において、プランジャ手段３がシリンジシリンダ１１から後方に解放されることが防がれる。
【００３１】
本発明に係る中空ニードル２１を組み付ける場合、中空ニードル２１のカップリングシース２１ａは、回転させられ、雌ねじ２１ｂと幹部２２ｄの突出部２２ｅとを係合し、シャンクリブ２２ｂは、スリーブ部１２のスリーブリブ１２ｂによって係合および阻止され、シャンク部２２の回転が防止される。これによって、中空ニードル２１のカップリングシース２１ａが、シリンジ手段１のスリーブ部１２に既に固定されるシャンク部２２に、強固に固定されるまで、シャンク部２２を中心とするカップリングシース２１ａの平滑な回転が可能となる。
【００３２】
注射完了後において、プランジャの斜めソケット３２と係合された、ニードル装置２のロックヘッド部２３は、同時にシリンジシリンダ１１に後退し、また、自動的に（図７から図８へ）傾斜し、注射器を安全に保護する。
【００３３】
プランジャ手段３の環状ディスク３５ａの後部に凹部として形成され、あるいは設けられているラチェット歯３５ｂは、図１０に示されるように、プランジャロッド３５のフロント部に、円周的に形成される複数のラチェット歯３５ｂ（歯の数および形状は限定されない）とすることが可能であり、あるいは、図８に示されるように、プランジャロッド３５のフロント部に環状に形成される単一の環状ラチェット歯３５ｂとして形成することも可能である。
【００３４】
プランジャ手段３をシリンジシリンダ１１に組み付ける場合、プランジャロッド３５のフロント端部の環状ディスク３５ａの弓状フロントエッジ部は、環状拡張部１５を通過することによって、シリンジシリンダ１１の内部１０に、スムーズに挿入される。けれども、プランジャロッド３５を後方に引っ張る場合、ラチェット歯３５ｂは、環状拡張部１５において阻止あるロックされ、特に、傾斜させられた中空ニードル２１に連結される場合（図８）、プランジャ手段３がシリンジシリンダ１１から外側に向かって後方に解放されることが防がれる。
【００３５】
したがって、本発明は、シリンジシリンダに後退した使用済みニードルが前方に突出することを防止し、また、使用済み中空ニードル２１と連結したプランジャ３１がシリンジシリンダ１１から後方に解放されることを防止することが可能な安全注射器を、実際に提供する。使用済み中空ニードル２１は、シリンジシリンダ１１に良好に「捕捉」され、注射器を安全に保護することを確実に確保し、使用済みニードルが、看護婦、医師、病院清掃作業者、または清掃係などに突き刺さり、外傷を与えることを防止する。
【００３６】
プランジャロッド３５は、プランジャロッド３５に沿って長手方向に４つのブレード部材３５１が形成されており、十字状の断面を有する（図９）。各ブレード部材３５１は、摺動自在に縦方向にガイドされ、シリンジシリンダ１１の内壁に円周状に形成されるあるいは突起１６の各対によって係合される。
【００３７】
プランジャロッド３５は、突起１６によって縦方向にガイドされる場合、縦軸Ｘを中心に回転せず、注射終了後（図７）に、プランジャ３１のソケット３２とニードル装置２のロックヘッド部２３との正確な連結を確実とする。一方、プランジャロッド３５が注射の際に回転させられる場合、ソケット３２は、ロックヘッド部２３に位置合せされないため、プランジャとニードルとを確実に連結することができない。
【００３８】
本発明は、本発明の精神および範囲から逸脱することなく、修正することが可能である。本発明は、先願によって想定されていない、静脈内注射に適応される安全注射器を提供する。
【図面の簡単な説明】
【００３９】
【図１】本発明のシリンジシリンダから分離されるニードル装置のシャンク部を示している断面図である。
【図２】図１から組み立てた場合における本発明の断面図である。
【図３】本発明に係り、注射の終了時におけるニードル装置とプランジャとの係合を示している断面図である。
【図４】本発明に係るシリンジシリンダにおいて、後退および傾斜させられたニードルを示している。
【図５】プランジャがシリンジシリンダから外側へ開放されることの防止を示している説明図である。
【図６】表面に形成されるラチェット歯を有するプランジャ手段の別の実施の形態を示している。
【図７】注射の終了時においてプランジャと係合するニードル装置を有する、静脈内注射のための、本発明に係る別の好ましい実施の形態を示している。
【図８】図７に続く、後退および傾斜させられたニードルを示し、当該ニードルはシリンジシリンダの内部で屈曲されている。
【図９】図７のＢ−Ｂ方向から見た断面図である。
【図１０】表面に形成されるラチェット歯を有するプランジャ手段を示している。
【国際公開パンフレット】
2004537390.tif 000003
2004537390.tif 000004
2004537390.tif 000005
2004537390.tif 000006
2004537390.tif 000007
2004537390.tif 000008
2004537390.tif 000009
2004537390.tif 000010
2004537390.tif 000011
2004537390.tif 000012
2004537390.tif 000013
2004537390.tif 000014
2004537390.tif 000015
2004537390.tif 000016
2004537390.tif 000017
2004537390.tif 000018
2004537390.tif 000019
【国際調査報告】
2004537390.tif 000020
2004537390.tif 000021
2004537390.tif 000022
2004537390.tif 000023